(57)【要約】      （修正有）【課題】複数枚の綴り用紙をバインダーによって綴じて帳簿として使用する際に、タックインデックスを用いることなく、項目毎や期間毎に仕分けた見出しを極めて容易に表示でき、見出し表示部の間隔や張出度合が不揃いになる懸念がなく、帳簿等として常に良好な外観体裁と見出し表示の優れた視認性を確保できる手段を提供する。【解決手段】バインダーによって複数枚を綴じて使用する綴り用紙であって、用紙縦寸法を複数に等分割した各分割区域に対応して、非綴じ合わせ側の側縁１ａの互いに異なる位置にインデックス突片２を設けた複数枚の用紙１・・・を一組として、その少なくとも一組を含んでなる綴り用紙セットとする。【選択図】図２
0003160100.tif 000002
【実用新案登録請求の範囲】
【請求項１】
バインダーによって複数枚を綴じて使用する綴り用紙であって、用紙縦寸法を複数に等分割した各分割区域に対応して、非綴じ合わせ側の側縁の互いに異なる位置にインデックス突片を設けた複数枚の用紙を一組として、その少なくとも一組を含んでなる綴り用紙セット。
【請求項２】
インデックス突片の基端幅が前記分割区域の幅と同一もしくは僅かに狭く設定されてなる請求項１記載の綴り用紙セット。
【請求項３】
インデックス突片を備えた前記少なくとも一組の用紙と、該インデックス突片のない複数枚の用紙とを含んでなる請求項１又は２に記載の綴り用紙セット。
【請求項４】
インデックス突片に書込み枠が表示されてなる請求項１〜３の何れかに記載の綴り用紙セット。
【請求項５】
用紙がＢ５又はＡ４サイズであり、インデックス突片を有する前記一組の用紙が１０〜２０枚で構成されてなる請求項１〜４の何れかに記載の用紙セット。
【考案の詳細な説明】
【技術分野】
【０００１】
本考案は、金銭出納帳、経費明細帳、売上帳、仕入帳の如き帳簿類の用紙、スケジュール帳用紙、作業日誌用紙、様々な集計用紙等、バインダーによって複数枚を綴じて使用する綴り用紙に関する。
【背景技術】
【０００２】
一般的に、綴り用紙を利用した帳簿類では、項目毎や期間毎に仕分けた見出しのために、仕分けの先頭頁の側縁にインデックスラベルを側方へ張り出すように貼り付け、このインデックスラベルに項目名を記入するようにしている。そして、このようなインデックスラベルとしては、赤、黒、青等の書込み枠を印刷表示した紙片の裏面全体に粘着剤層を設けた所謂タックインデックスが汎用されており、剥離紙から剥がした該ラベルの一端側を用紙側縁の一面側に貼り付けた上で、二つ折りにして他端側を該用紙側縁の他面側に貼り付けると共にラベル裏面同士を貼着するようになっている。
【０００３】
ところが、タックインデックスは、綴り用紙の側縁に貼着するのに非常に手間が掛かることに加え、目測で貼付け位置を定めるために貼着間隔や張出度合が不揃いになったり、傾いた貼着姿勢になったりして見栄えが悪化し易い上、隣接するラベル同士の重なりや張出不足で記入文字が見えにくくなったり、また用紙に対する接着面積や圧着力が不足して脱落することもあった。
【０００４】
そこで、従来において、綴り用紙の側縁部にタックインデックスの貼着位置を示す印を表示することが提案されている（特許文献１）。また、タックインデックスの貼付補助具として、定規や厚地カード紙等にタックインデックスの幅に対応した目盛りを設け、この目盛りを基準にタックインデックスを用紙の側縁部に貼り付けるようにしたものも提案されている（特許文献２，３）。
【先行技術文献】
【特許文献】
【０００５】
【特許文献１】特開２００８−１４３１２２号公報
【特許文献２】実開平５−６５５９６号公報
【特許文献３】特開２００５−２８８７９５号公報
【考案の概要】
【考案が解決しようとする課題】
【０００６】
しかしながら、上記提案手段のいずれでも、タックインデックスを綴り用紙の側縁に貼着する手間の煩わしさ自体は変わらず、また上記用紙の印や上記補助具の目盛りによってタックインデックスの位置決めが容易になっても、貼着操作の拙さで貼着間隔や張出度合のバラツキ、貼着姿勢の傾き等を生じることは避けられず、一旦貼着した後には貼着状態の修正や貼替えが困難になるため、外観体裁の悪さは解消できない。
【０００７】
本考案は、上述の事情に鑑みて、複数枚の綴り用紙をバインダーによって綴じて帳簿として使用する際に、タックインデックスを用いることなく、項目毎や期間毎に仕分けた見出しを極めて容易に表示できると共に、その見出し表示部の間隔や張出度合が不揃いになる懸念がなく、帳簿等として常に良好な外観体裁と見出し表示の優れた視認性を確保できる手段を提供することを目的としている。
【課題を解決するための手段】
【０００８】
上記目的を達成するための手段を図面の参照符号を付して示せば、請求項１の考案は、は、バインダーによって複数枚を綴じて使用する綴り用紙であって、用紙縦寸法Ｌを複数に等分割した各分割区域Ｄに対応して、非綴じ合わせ側の側縁１ａの互いに異なる位置にインデックス突片２を設けた複数枚の用紙１・・・を一組として、その少なくとも一組を含んでなる綴り用紙セットを要旨としている。
【０００９】
請求項２の考案は、上記請求項１の綴り用紙セットにおいて、インデックス突片２の基端幅が前記分割区域Ｄの幅と同一もしくは僅かに狭く設定されてなるものとしている。
【００１０】
請求項３の考案は、上記請求項１又は２の綴り用紙セットにおいて、インデックス突片２を備えた前記少なくとも一組の用紙１・・・と、該インデックス突片２のない複数枚の用紙１０・・・とを含んでなるものとしている。
【００１１】
請求項４の考案は、上記請求項１〜３の何れかの綴り用紙セットにおいて、インデックス突片２に書込み枠３が表示されてなるものとしている。
【００１２】
請求項５の考案は、上記請求項１〜４の何れかの綴り用紙セットにおいて、用紙１がＢ５又はＡ４サイズであり、インデックス突片２を有する前記一組の用紙１・・・が１０〜２０枚で構成されてなるものとしている。
【考案の効果】
【００１３】
次に、本考案の効果を図面の参照符号を付して説明する。請求項１の考案に係る綴り用紙セットによれば、用紙縦寸法Ｌを複数に等分割した各分割区域２に対応して、非綴じ合わせ側の側縁１ａの互いに異なる位置にインデックス突片２を設けた複数枚の用紙１・・・の少なくとも一組を含むため、バインダーに綴じた状態で必要な項目の見出しをインデックス突片３に記入すればよく、タックインデックスを用紙側縁部に貼着する必要がないので操作的に極めて簡単である上、該一組の用紙１・・・同士ではインデックス突片２が互いに重なりを生じず、且つ全てのインデックス突片３が側方へ等しく張出し、見出し表示部の間隔や張出度合が完全に揃った形になるから、帳簿等として常に良好な外観体裁と見出し表示の優れた視認性を確保できる。また、インデックス突片２が用紙１自体に設けてあるから、インデックスタブ付きの着色仕切紙を挟む場合のように紙葉枚数が無駄に増えてしまうという難点もない。
【００１４】
請求項２の考案によれば、インデックス突片２の基端幅が前記分割区域Ｄの幅と同一もしくは僅かに狭く設定されているから、バインダーに該インデックス突片２を有する前記一組の用紙１・・・の全部を綴じた状態で、用紙１の非綴じ合わせ側の側縁１ａの全体にわたってインデックス突片２・・・が重なり合うことなく密に並んで揃った形になるから、外観体裁と見出し表示の視認性が非常に良好になる。
【００１５】
請求項３の考案によれば、綴り用紙セットとして、インデックス突片２を備えた前記少なくとも一組の用紙１・・・と、該インデックス突片２のない複数枚の用紙１０・・・とを含むから、項目の見出しを付ける用紙と該見出しを付けない用紙とで帳簿等を作成する際、同じ用紙セットに含まれる用紙で足りるという利点がある。
【００１６】
請求項４の考案によれば、用紙１のインデックス突片２に書込み枠３が表示されているから、項目の見出し文字を該書込み枠３内に記入することにより、バインダーに綴じた状態での見出し表示がすっきりとし、外観体裁がより良好となる。
【００１７】
請求項５の考案によれば、用紙１がＢ５又はＡ４サイズで、インデックス突片２を有する前記一組の用紙枚数が特定範囲にあるから、各インデックス突片２の用紙側縁に沿う幅が広すぎたり狭すぎたりせず、見出し表示として適当な大きさになる。
【図面の簡単な説明】
【００１８】
【図１】本考案の一実施形態に係る綴り用紙セットの平面図である。
【図２】同綴り用紙セットの用紙同士を斜めにずらせて示す平面図である。
【図３】同綴り用紙セットにおける用紙縦方向お等分割例を示す平面図である。
【考案を実施するための形態】
【００１９】
以下に、本考案の一実施形態に係る綴り用紙セットについて、図面を参照して具体的に説明する。図１に示す綴り用紙セットは、非綴じ合わせ側の側縁１ａに略縦長矩形のインデックス突片２を備えた用紙１の複数枚（図では１２枚）が一組になっており、その少なくとも一組を仮想線で示す包装袋４に納めて商品形態とするものである。
【００２０】
各用紙１は、Ｂ５又はＡ４サイズであり、表裏両面に横罫線５ａと縦罫線５ｂで構成される所要の書類様式５が印刷されると共に、インデックス突片２の表裏両面にも略縦長矩形の書込み枠３が印刷されており、綴じ合わせ側の側縁１ｂに沿ってバインダー（図示省略）の止め環を挿通させるための多数の綴じ穴６・・・が一定間隔置きに設けられ、その内二つが二穴止め方式のバインダーに適用できるように径大穴６ａになっている。
【００２１】
そして、上記一組を構成する各用紙１のインデックス突片２・・・同士は、図２に示すように側縁１ｂにおける互いに異なる位置に設けてある。すなわち、各用紙１のインデックス突片２は、図３で示すように、通常の用紙１０における縦寸法Ｌを複数に等分割（図では１２分割）した場合の分割区域Ｄ・・・の各々異なる一つに対応すると共に、その基端幅が該分割区域Ｄの幅と同一もしくは僅かに狭く設定されている。従って、これら一組全部の用紙１・・・を正確に上下に重ね合わせた状態、つまりバインダーで綴じた状態では、インデックス突片２・・・は相互に重ならずに図１の如く密に並んで配置する。
【００２２】
このような綴り用紙セットによれば、バインダーに綴じて帳簿等を作成する際、必要な項目の見出しは各用紙１のインデックス突片３に記入すればよいから、タックインデックスを用紙側縁部に貼着するのに比較して操作的に極めて簡単である。しかも、一組の用紙１・・・の全部を綴じた状態で、インデックス突片２・・・が互いに重なり合うことなく、且つ側方へ揃って等しく張出する上、非綴じ合わせ側の側縁１ａの全体にわたって密に並んだ形になるから、帳簿等として極めて良好な外観体裁と非常に優れた見出し表示の視認性が得られる。
【００２３】
また、この実施形態では、各用紙１のインデックス突片２に書込み枠３が表示されているから、項目の見出し文字を該書込み枠３内に記入することにより、バインダーに綴じた状態での見出し表示がすっきりとし、外観体裁がより良好となるという利点がある。
【００２４】
なお、バインダーとしてインデックスタブ付きの着色仕切紙を付属するものがあるが、このような着色仕切紙を見出し表示に用いると、余分な紙葉の増加でバインダーに綴じ得る本来の用紙枚数が減り、それだけ帳簿等としての記録容量が少なくなるという難点がある。これに対し、本考案の用紙セットでは、インデックス突片２が用紙１自体に設けてあるから、帳簿等としての記録容量が減ることもない。
【００２５】
本考案の綴り用紙セットは、用紙縦寸法Ｌを複数に等分割した各分割区域Ｄに対応して互いに異なる位置にインデックス突片２を設けた複数枚の用紙１・・・の一組として、その一組もしくは二組以上を含むものであればよいが、これらインデックス突片２を設けた用紙１・・・の少なくとも一組と共に、図３で示すような該インデックス突片２のない用紙１０・・・の複数枚を含む構成としてもよい。すなわち、帳簿等を作成する場合、インデックス突片２を設けた用紙１・・・のみを使用することも可能であるが、通常では項目の見出しを付ける用紙と該見出しのない用紙とを併用することが多く、更に枚数的にも見出しのない用紙の方が多くなるのが一般的であるため、上記の両用紙１，１０を含めた綴り用紙セットとして該併用に対応できる。
【００２６】
インデックス突片２を設けた用紙１・・・の一組の枚数は、特に制約されないが、用紙１がＢ５又はＡ４サイズの場合、１０〜２０枚の範囲が好適である。すなわち、この枚数範囲では、各インデックス突片２の用紙側縁に沿う幅が広すぎたり狭すぎたりせず、見出し表示として適当な大きさになるという利点がある。
【００２７】
用紙１，１０に印刷表示する書類様式５としては、特に制約はなく、金銭出納帳、経費明細帳、売上帳、仕入帳の如き帳簿類、スケジュール帳、作業日誌、様々な集計用紙等、用途に対応した種々の様式を採用できると共に、罫線と共に様々な項目の字句を表示していてもよい。また、用紙１，１０の綴じ合わせ側の側縁１ｂに設ける綴じ穴５についても、適用するバインダーの綴じ込み方式に応じて数、形状、配置を種々設定できる。
【符号の説明】
【００２８】
１    インデックス突片を備える用紙
１ａ  非綴じ合わせ側の側縁
２    インデックス突片
３    書込み枠
４    包装袋
５    書類様式
１０  インデックス突片のない用紙
Ｄ    分割区域
Ｌ    用紙縦寸法
【図１】
0003160100.tif 000003
【図２】
0003160100.tif 000004
【図３】
0003160100.tif 000005